(57)【要約】  手術用器具は、ハブと、回転部材と、インペラと、インペラ筐体とを含む。ハブは、近位部分および遠位部分を有し、それらの間に管腔を画定する。ハブの遠位部分は、回転部材を回転可能に支持するよう構成されたスリーブ部分を含む。回転部材は、ハブを通り延在し、かつ近位端部および遠位端部を有する。回転部材の近位端部は、外部駆動機構と結合するように構成される。インペラは、回転部材の遠位端部に結合され、かつ管腔に流入または流出する流体を加速するよう構成される。インペラ筐体は、ハブの遠位部分に結合され、かつインペラ周囲のインペラ容積を画定する。１または複数の開口部は、管腔がインペラ容積内と流体連通するようにハブのスリーブ部分の周りに形成される。
2015534889.tif 000002
【特許請求の範囲】
【請求項１】
手術器具であって、該手術器具は、
近位部分および遠位部分を有するハブであって、前記ハブは、前記近位および遠位部分の間に管腔を画定し、前記ハブの前記遠位部分が回転部材を回転可能に支持するよう構成されたスリーブ部分を含む、ハブと、
前記ハブを通り延在する回転部材であって、前記回転部材は、近位端部および遠位端部を有し、前記回転部材の前記近位端部が外部駆動機構と結合するよう構成されている、回転部材と、
前記回転部材の前記遠位端部に結合され、かつ前記管腔に流入または流出する流体を加速するよう構成されたインペラと、
前記ハブの前記遠位部分に結合され、かつ前記インペラの周りにインペラ容積を画定するインペラ筐体と、
を備え、
前記管腔が前記インペラ容積と流体連通するように１または複数の開口部が前記ハブの前記スリーブ部分の周りに形成されている、手術器具。
【請求項２】
前記インペラが前記回転部材の回転軸に略平行方向に流体を加速するよう構成された軸流羽根車である、請求項１に記載の手術器具。
【請求項３】
前記インペラが前記回転部材の回転軸に略垂直方向に流体を加速するよう構成された遠心羽根車である、請求項１に記載の手術器具。
【請求項４】
前記インペラの設計が特定のポンプタイプに関連し、前記特定のポンプタイプは、遠心ポンプ、歯車ポンプ、スクリューポンプ、ベーンポンプ、ローブポンプ、および蠕動ポンプからなるグループから選択される、請求項１に記載の手術器具。
【請求項５】
前記インペラ筐体が前記ハブに一体化されている、請求項１に記載の手術器具。
【請求項６】
前記ハブの前記管腔から流出する流体が前記インペラによって加速されるように、前記手術器具が洗浄に使用されるように構成されている、前記請求項１に記載の手術器具。
【請求項７】
前記インペラが前記ハブの前記管腔に流入する流体を加速するように、前記手術器具が吸引に使用されるように構成されている、請求項１に記載の手術器具。
【請求項８】
シェーバーハンドピースをさらに備え、該シェーバーハンドピースが前記外部駆動機構を備える、請求項１に記載の手術器具。
【請求項９】
流体バッグをさらに備え、該流体バッグが前記ハブの前記管腔と流体連通する、請求項１に記載の手術器具。
【請求項１０】
前記外部駆動機構のＲＰＭを制御するよう構成された制御ユニットをさらに備える、請求項１に記載の手術器具。
【請求項１１】
手術器具システムであって、該手術器具システムは、
駆動機構を備えるシェーバーハンドピースであって、前記駆動機構が回転カッターの近位端部に解放可能に結合するよう構成された遠位端部を有する、シェーバーハンドピースと、
流体をポンプ送りするよう構成されたポンプカートリッジと、
を備え、前記ポンプカートリッジが、
前記シェーバーハンドピースに解放可能に結合するよう構成されたハブと、
前記ハブによって回転可能に支持され、かつ前記シェーバーハンドピースの駆動機構の前記遠位端部に結合するよう構成された回転部材と、
前記回転部材に結合され、かつ流体を加速するよう構成されたインペラと、
を備える、手術器具システム。
【請求項１２】
前記ポンプカートリッジの前記ハブは、前記流体が中を流れることができるように構成された管腔をさらに画定する、請求項１１に記載の手術器具システム。
【請求項１３】
前記シェーバーハンドピースは、前記ポンプカートリッジの前記管腔と流体連通するよう構成された管腔をさらに画定する、請求項１２に記載の手術器具システム。
【請求項１４】
前記ポンプカートリッジと流体連通する流体リザーバーをさらに備える、請求項１１に記載の手術器具システム。
【請求項１５】
前記駆動機構のＲＰＭを制御するよう構成された制御ユニットをさらに備える、請求項１１に記載の手術器具システム。
【請求項１６】
流体を手術部位へポンプ送りするように前記駆動機構が第１方向に駆動される、請求項１１に記載の手術器具システム。
【請求項１７】
前記手術部位から離れる方向に流体をポンプ送りするように前記駆動機構が前記第１方向と逆の第２方向に駆動される、請求項１６に記載の手術器具システム。
【請求項１８】
手術器具であって、
近位部分と、回転部材を回転可能に支持するよう構成された遠位部分とを有するハブと、
前記ハブを通り延在する回転部材であって、前記回転部材は、近位端部および遠位端部を有し、前記回転部材の前記近位端部が外部駆動機構と結合するよう構成されている、回転部材と、
前記ハブの前記遠位部分に結合され、かつインペラの周りにインペラ容積を画定するインペラ筐体と、
前記回転部材の前記遠位端部に結合され、かつ前記インペラ容積に流入、または流出する流体を加速するよう構成されたインペラと、
を備える、手術器具。
【請求項１９】
前記インペラ筐体が入口および出口を画定し、該入口および出口を通り流体がそれぞれ前記インペラ容積に流入および流出する、請求項１８に記載の手術器具。
【請求項２０】
前記インペラが前記回転部材の回転軸に略垂直方向に流体を加速するよう構成された遠心羽根車である、請求項１８に記載の手術器具。
【請求項２１】
前記ハブが外科用ブレードに回転的に取り付けられるよう構成され、駆動連結部をさらに備え、該駆動連結部は、前記外部駆動機構を前記外科用ブレードに係合する、請求項１８に記載の手術器具。
【請求項２２】
前記駆動連結部が非接触係合に適合された磁気連結である、請求項２１に記載の方法。
【請求項２３】
前記シェーバーが外科用ブレードをさらに備え、前記駆動機構および前記回転部材の間に駆動連結部をさらに備え、前記駆動機構が前記外科用ブレードおよび前記回転部材を回転するよう構成されている、請求項１１に記載の手術器具。
【請求項２４】
前記駆動連結部が、前記駆動機構および前記回転部材の間に非接触磁気連結を提供する、請求項２３に記載の外科用ハンドピース。
【発明の詳細な説明】
【技術分野】
【０００１】
本明細書は、医療用ポンプに関する。
【背景技術】
【０００２】
様々なタイプの医療ポンプシステムが内視鏡検査、特に関節鏡検査において使用されている。いくつかのポンプシステムは、チューブセット内に流体の流れを生成する専用の電動制御ユニットを使用することができる。場合によっては、無動力ポンピングシステムを使用することができる。手術部位の上に流体バッグを持ち上げることにより重力のみを介して流体の流れを確立する重力送りチューブセットは、このような例の１つである。あるいは、または追加的に、流体バッグからの流体は、流体バッグを圧迫して流体圧力を増加させることにより手術部位へ強制的に流される。場合によっては、直列の柔軟な流体チャンバを手動、または機械的な装置によって圧迫することができ、追加的な流れ／圧力を提供することにより重力の流れを増大させる。
【発明の概要】
【課題を解決するための手段】
【０００３】
１つの態様によると、手術用器具は、ハブと、回転部材と、インペラと、インペラ筐体とを含む。ハブは、近位部分および遠位部分を有し、近位および遠位部分の間に管腔を画定する。ハブの遠位部分は、回転部材を回転可能に支持するよう構成されたスリーブ部分を含む。回転部材は、ハブを通り延在し、かつ近位端部および遠位端部を有する。回転部材の近位端部は、外部駆動機構と結合するように構成される。インペラは、回転部材の遠位端部に結合され、かつ管腔に流入または流出する流体を加速するよう構成される。インペラ筐体は、ハブの遠位部分に結合され、かつインペラ周囲のインペラ容積を画定する。１または複数の開口部は、管腔がインペラ容積内と流体連通するようにハブのスリーブ部分の周りに形成される。
【０００４】
この態様の実施方法は、１または複数の以下の機構を含むことができる。例えば、インペラは、回転部材の回転軸と略平行方向に流体を加速するよう構成された軸流羽根車とすることができる。インペラは、回転部材の回転軸に略垂直方向に流体を加速するよう構成された遠心羽根車とすることができる。インペラの設計は、特定のタイプのポンプに関連づけることができ、特定のタイプのポンプは、遠心ポンプ、歯車ポンプ、スクリューポンプ、ベーンポンプ、ローブポンプ、および蠕動ポンプからなるグループから選択される。インペラ筐体は、ハブと一体化させることができる。手術器具は、洗浄に使用するよう構成されることができ、ハブの管腔から流出する流体がインペラによって加速される。手術器具は、吸引に使用するように構成することができ、インペラは、ハブの管腔に流入する流体を加速する。手術器具はさらに、シェーバーハンドピースを含むことができる。シェーバーハンドピースは、外部駆動機構を含むことができる。手術器具は、さらに流体バッグを含むことができ、流体バッグは、ハブの管腔と流体連通する。手術器具は、さらに外部駆動機構のＲＰＭを制御するよう構成された制御ユニットを含むことができる。
【０００５】
別の態様によると、手術器具システムは、シェーバーハンドピースおよび流体をポンプ送りするよう構成されたポンプカートリッジを含む。シェーバーハンドピースは、駆動機構を含む。駆動機構は、回転カッターの近位端部と解放可能に結合するよう構成された遠位端部を含む。ポンプカートリッジは、シェーバーハンドピースと解放可能に結合するよう構成されたハブと、ハブによって回転可能に支持され、かつシェーバーハンドピース駆動機構の遠位端部と結合するよう構成された回転部材と、回転部材に結合され、かつ流体を加速するよう構成されたインペラとを含む。結合は、インペラに直接係合する回転駆動軸、または磁力を用いてインペラと係合して回転を提供する非接触磁気回転駆動部を介して達成される。別の回転駆動源は、たわみ継手またはワイヤーを含む。
【０００６】
この態様の実施形態は、１または複数の以下の特徴を含むことができる。例えば、ポンプカートリッジのハブは、流体がそこを通り流れることができるように構成された管腔をさらに画定することができる。シェーバーハンドピースは、さらにポンプカートリッジの管腔と流体連通するよう構成された管腔を画定することができる。手術器具システムはさらに、ポンプカートリッジと流体連通する流体リザーバーを含むことができる。手術器具システムは、外部駆動機構のＲＰＭを制御するよう構成された制御ユニットをさらに含むことができる。駆動機構は、手術部位へ流体をポンプ送りするために第１方向に駆動されることができる。駆動機構は、手術部位から流体をポンプ送りするために第１方向と反対の第２方向に駆動されることができる。
【０００７】
別の態様によると、手術器具は、回転部材を回転可能に支持するよう構成された、近位部分および遠位部分を有するハブと、ハブを通り延在する回転部材と、ハブの遠位部分に結合され、かつインペラの周りのインペラ容積を画定するインペラ筐体と、回転部材の遠位端部に結合され、かつインペラ容積へ流入、または流出する流体を加速するよう構成されたインペラとを含む。回転部材は、近位端部および遠位端部を有し、かつ近位端部は、外部駆動機構に結合するよう構成される。
【０００８】
この態様の実施形態は、１または複数の以下の特徴を含むことができる。例えば、インペラ筐体は、入口および出口を画定することができ、それぞれを通り流体がインペラ容積に流入し、かつ流出する。インペラは、回転部材の回転軸に略垂直方向に流体を加速するよう構成された遠心羽根車とすることができる。
【０００９】
別の態様によると、ポンプは、回転外科用ブレードと同時に使用することができる。この手法は、ブレードハブを有することによって達成され、該ブレードハブは、歯車セット、駆動ベルトによる直接接触を介したポンプ駆動部、または非接触磁気駆動部に回転運動を提供するモーター駆動ユニットと係合する。
【００１０】
１または複数の 実施方法 の詳細は、 添付図面および 以下の記述によって説明される。他の特徴、態様、および利点は、説明、図面および請求項から明らかになるだろう。
【図面の簡単な説明】
【００１１】
【図１】例えば回転カッター取付具とともに使用することもできるハンドピースに結合されたポンプカートリッジの斜視図である。
【図２Ａ】ハンドピースに結合された回転カッター取付具の側方横断面図である。
【図２Ｂ】回転カッター取付具の斜視図である。
【図３Ａ】インペラ筐体とともに示されたポンプカートリッジの斜視図である。
【図３Ｂ】インペラ筐体なしで示されたポンプカートリッジの斜視図である。
【図４】ポンプカートリッジの側方横断面図である。
【図５】ポンプカートリッジの一部の前面斜視図である。
【図６】ポンプカートリッジを含むポンピングおよび制御システムの例を示す。
【図７】ポンプカートリッジの代替実施形態の斜視図である。
【図８】ポンプカートリッジの代替実施形態を含むポンピングおよび制御システムの例を示す。
【図９Ａ】ポンプカートリッジの別の代替実施形態の斜視図である。
【図９Ｂ】ポンプカートリッジの別の代替実施形態の側方横断面図である。
【発明を実施するための形態】
【００１２】
ポンプカートリッジは、流体をポンプ送りするために使用することができる。ポンプカートリッジは、例えば関節／臓器の膨満および洗浄および／または組織の切除および除去のために使用することができる。ポンプカートリッジは、モーターユニットを提供する既存のシェーバーハンドピースと結合するよう構成され得る。
【００１３】
図１を参照すると、ポンピングシステム１０は、ポンプカートリッジ１００およびシェーバーハンドピース１０２を含むことができる。ポンプカートリッジ１００は、例えばシェーバーハンドピース１０２の遠位穴（図示せず）に挿入され、かつラッチ留めされることによってシェーバーハンドピース１０２と解放可能に結合することができる。様々なタイプのシェーバーハンドピース、モーター駆動ユニット、または他の類似の手術器具をポンプカートリッジ１００と関連して使用することができる。このようなハンドピースのさらなる説明は、米国特許第５，８７１，４９３号、および第７，７６６，８４４号に見出すことができ、これらの両方は、参照によって全体が本明細書に組み込まれている。
【００１４】
図２Ａおよび図２Ｂを参照すると、回転カッター取付具３００に結合されたシェーバーハンドピース１０２が示されている。シェーバーハンドピース１０２は、電気モーターなどの駆動機構１０８を含み、かつ流体チャネル１１０をさらに含む。駆動機構１０８は、取付具３００に係合して、回転運動を与え、かつ流体チャネル１１０は、取付具３００内に画定された管腔１１４と流体連通することができる。
【００１５】
いくつかの実施形態において、図２Ｂに示される回転カッター取付具３００は、外側の非回転管３７０の刃先と内側の回転シャフト３７４の間に配置された組織をせん断するチューブ・イン・チューブ構造を用いることによって組織を切除するために使用することができる。外管３７０は、外管３７０の近位領域３７１においてハブ３２０に接続することができ、内側シャフト３７４は、ハブ３２０および外管３７０に回転可能に収容されることができる。内側シャフト３７４は、外管３７０内に配置された管３７６を含むことができる。管３７６は、管腔１１４を画定し、かつシャフト３７４の近位領域に配置されるとともにハブ３２０内に部分的に収容されるモーター連結部３５０と接続することができる。モーター連結部３５０は、ハブ３２０および外管３７０に対してシャフト３７４を回転させる駆動機構１０８に結合される拡張部３５５を含むことができる。場合によっては、回転カッター取付具３００は、その遠位端部において他のタイプのカッター、例えばギザギザカッターを含むことができる。
【００１６】
図２Ａに戻ると、流体チャネル１１０は、例えば管腔１１４に対して吸引を適用して、流体を除去し、かつ手術部位から組織を切断するために、吸引開口部６３３において終端することができる。管腔１１４は、シャフト３７４の管３７６（図３）内に配置されることができ、かつモーター連結部３５０の貫通孔３８０と連通する近位開口部３７５を有する。外管３７０の側方に面する窓３０５および内管３７６の側方に面する窓３０７を通り管腔１１４内へ、および管腔開口部３７５および孔３８０の両端部を通り流体チャネル１１０へ材料を引き込むために、流体チャネル１１０を通じて吸引が適用され得る。
【００１７】
ここで図３Ａおよび図３Ｂを参照すると、ポンプカートリッジ１００は、固定ハブ１１８および内側回転部材１２０を含む。上述したように、ポンプカートリッジ１００は、既存のハンドピース、例えばシェーバーハンドピース１０２に結合するように構成され得る。内側回転部材１２０は、ハブ１１８の全体または一部を通り長軸方向に概して延在し、かつ下記に説明されるようにハブ１１８内に回転可能に支持される。場合によっては、回転部材１２０の近位端部１２２は、ハブ１１８の近位部分１２４を越えて延在し、かつ駆動機構に結合するためのモーター連結部１２６を含む。モーター連結部１２６から近位に延在することができる拡張部１２８は、駆動機構１０８の回転運動が回転部材１２０に伝わることができるように駆動機構１０８と係合することができる。図３Ａに示され、かつ明瞭化のために図３Ｂでは取り除かれているインペラ筐体１１６は、ハブ１１８の遠位部分１３０に取り付けることができる。インペラ筐体１１６は、例えば組み立て中、またはポンプカートリッジ１００の整備中に取り外すことができる。あるいは、インペラ筐体１１６は、ポンプカートリッジ１００の一部、例えばハブ１１８の拡張部として一体に形成することができる。
【００１８】
また図４を参照すると、内側回転部材１２０は、モーター連結部１２６およびモーター連結部１２６の遠位に取り付けられたシャフト部分１２１を含むことができる。シャフト部分１２１の遠位端部１３２は、ハブ１１８の遠位部分１３０を越えて延在することができ、およびインペラ１３４は、遠位端部１３２に取り付けることができる。インペラ筐体１１６は、インペラ１３４を囲み、インペラ１３４の周りのインペラ容積１３６を画定する。モーター連結部１２６が駆動機構１０８に結合されると、駆動機構１０８の回転は、インペラ１３４の対応する回転をもたらし、今度は以下に述べるように、流体のポンプ送りをもたらす。インペラ１３４は、インペラの回転軸に略平行方向に流体を加速するよう設計される軸流羽根車とすることができる。
【００１９】
図４に示すようにポンプカートリッジ１００は、近位端部１２４および遠位端部１３０の間で概して延在する管腔１３８をさらに画定する。場合によっては、管腔１３８の近位端部は、モーター連結ユニット１２６の一部分によって部分的にまたは完全に封鎖され得る。このように、シェーバーハンドピース１０２の流体チャネル１１０などのシェーバーハンドピースの流体搬送管腔と、インペラ容積１３６の間に流路を確立するために、回転部材１２０を介して追加的な流路を確立することができる。例えば、シャフト部分１２１は、本体開口部１２５を介して管腔１３８と流体連通する管腔１２３を画定することができる。そのうえ、シャフト部分１２１の近位端部は、モーター連結部１２６内に形成された貫通孔１２９と流体連通する開口部１２７を含むことができ、貫通孔１２９は、ハンドピースの流体搬送管腔、例えば流体チャネル１１０と流体連通することができる。シェーバーハンドピースの流体搬送管腔は、さらに流体リザーバー、例えば流体バッグ１５０（図６参照）と流体連通することができ、流体リザーバーおよびインペラ容積１３６の間で流体流路が確立される。あるいは、または追加的に、流体リザーバーは、ハンドピース１０２を通らずにポンプカートリッジ１００を有する流体流路と直接接続して、流体流路を確立することができる。洗浄処置の間、さらに以下に述べるように、インペラ容積１３６筐体１１６内の開口部、例えば管接続部１４６を介して流体は流出する。逆に、吸引処置の間、流体は、例えば管接続部１４６を介してインペラ容積１３６に流入する。
【００２０】
内側回転部材１２０は、ポンプカートリッジ１００内で回転可能に支持され得る。例えば、図４に示すように、シャフト部分１２１の遠位端部１３２は、ハブ１１８のスリーブ部分１４０によって支持されることができ、スリーブ部分１４０は、ハブ１１８の長軸回りに回転することができるように、回転部材１２０のシャフト部分１２１の外周を密閉するように囲む。スリーブ部分１４０の内面および回転部材１２０の外周の間の境界は、様々なシール、ブッシュ、軸受等をさらに含むことができ、それらは、２つの面の間の摩擦を低減するのに役立ち、また場合によっては面の間の流体の不所望の通過を防止する。回転部材はまた、インペラおよびシェーバーが共通の駆動源を共有するように、シェーバーまたは他の回転手術器具のための駆動機構に結合されることができる。回転運動を回転部材に与えるための駆動連結は、ワイヤーなどの可撓性を有することができるか、または磁気連結などの非接触とすることができる。
【００２１】
また図５を参照すると、管腔１３８の遠位端部は、ハブ１１８の端面１４２によって画定されることができ、スリーブ部分１４０は、端部面１４２の一部と一体化させるか、または個別に取り付けることができる。端面１４２は、概して管腔１３８内の流体およびインペラ容積１３６の流体の分離を提供する。管腔１３８およびインペラ容積１３６の間の流体連通を提供するために、端面１４２は、１または複数の流体開口部１４４を形成することができる。図５に示すように、３つの流体開口部１４４が端面１４２に、回転部材１２０（図４）回りに等間隔に形成される端面１４２内、または近くの代替の流体開口の構成も可能である。場合によっては、１または複数の流体開口部は、回転部材１２０および／またはインペラ１３４を通り形成され得る。
【００２２】
完全なポンピングおよび制御システム２０の例を図６に示す。図示されるように、ポンピングシステム１０は、上述のように、流体バッグ１５０および制御ユニット１５２にさらに接続される。ハンドピース１０２および制御ユニット１５２は、既存の外科用シェービングシステムの一部とすることができ、かつ制御ユニット１５２は、ハンドピース１０２に取り付けられる回転カッターのパラメータを電子的に制御するよう構成され得る。ハンドピース１０２が回転カッター取付具（図示せず）または他の非ポンピング取付具と共に使用される場合、流体バッグ１５０から手術部位１５４への流体の流れは、流体バッグ１５０および手術部位１５４の間の流路を画定する代替管路（図示せず）を通り重力によって確立され得る。
【００２３】
また図４を参照すると、ポンピングおよび制御システム２０は、ポンプカートリッジ１００に接続され、流体は、インペラ容積１３６内の流体が手術部位１５４へ加速されるようにインペラ１３４が第１方向（例えば時計回り）に回転することによって手術部位１５４へ送出されることができ、例えば洗浄を提供する。この場合、流体バッグ１５０などの流体リザーバーからの流体は、管腔１３８を通り流れ、流体開口部１４４を通過して、インペラ容積１３６に入り、ここで管接続部１４６の外へ加速される。図６に示すように、管接続部１４６は、管１５６にさらに接続されることができる。次いで管１５６は、手術部位１５４に、または近くに配置され得るカニューレ１５８に接続される。
【００２４】
同様に、ポンピングおよび制御システム２０がポンプカートリッジ１００に接続される場合、第１方向と逆（例えば反時計回り）の第２方向でインペラ１３４が回転することにより手術部位１５４から流体を送出することができ、例えば吸引を提供する。この場合、インペラ容積１３６の流体は、手術部位１５４から例えばハンドピース１０２に流体的に接続された廃棄物容器（図示せず）に向かって流体が送出されるように、管腔１３８に向かって加速される。
【００２５】
洗浄および吸引処置の両方、および手術部位へ／から流体をポンプ送りすることが必要な他の処置のために、上述のようにインペラの回転を制御するために制御ユニット１５２は、シェーバーハンドピース１０２（図２Ａ）の駆動機構に必要な電力／信号を提供することができる。例えば、制御ユニット１５２は、駆動機構、結果的にそこに結合されたインペラ１３４を駆動／回転するようセットすることができ、５０００ＲＰＭで回転させる。５０００ＲＰＭのインペラ回転は、例えば約２００〜２５０ｍｍＨｇおよび流速２〜２．５Ｌ／ｍｉｎのポンプ圧力に対応することができる。しかし、インペラ回転、ポンプ圧力、および／または流速の間の関係は、通常インペラ１３４および筐体１１６の形、送出される流体の特性を非限定的に含む多数の要因に依存する。したがって、制御ユニット１５２によって提供された回転速度および得られた流体ポンピング特性の間の一般的な、または流体特有の関係を確立するために、較正チャート／プロットが生成され得る。場合によっては、インペラは、０〜５０００ＲＰＭで回転することができる。場合によっては、インペラは、最大１５，０００ＲＰＭの速度で回転することができる。場合によっては、インペラは、最大２０，０００ＲＰＭを越える速度で回転することができる。
【００２６】
代替実施形態の図７を参照すると、ポンプカートリッジ２００は、流体チャネル１１０（図２）などのシェーバーハンドピース１０２の一部を通ることなく、バイパス開口部２０４を介して管接続部２０２および流体リザーバー（例えば洗浄中）または廃棄物容器（例えば吸引中）のどちらかとの流体連結を確立することができる。バイパス開口部２０４は、例えば筐体２０６の外壁に配置され、かつ図７に示すように、管接続部２０２に対して垂直に配向されることができる。場合によっては、バイパス開口部２０４は、ポンプカートリッジ２００の他の部分、例えばハブ部分２０８に配置されることができる。流体リザーバーまたは廃棄物容器が、例えば筐体２０６に配置されたバイパス開口部２０４を介して筐体２０６によって画定されたインペラ容積２１０との直接の流体連結を確立する場合、インペラ容積２１０は、ポンプカートリッジ２００の他の部分と流体連通しなくてもよい。場合によっては、ポンプカートリッジ２００は、流体搬送管腔を含まない場合がある。
【００２７】
また図８を参照すると、ポンプカートリッジ２００を有するポンピングシステム３０が示され、流体バッグ１５０および制御ユニット１５２にさらに接続されている。図に示すように、流路は、流体バッグ１５０および手術部位１５４の間でハンドピース１０２を通ることなく確立されている。
【００２８】
ポンプカートリッジ１００，２００の代替実施形態は、回転部材１２０の軸に対して斜めに流体を加速するよう設計されたインペラを使用することができる。例えば、図９Ａおよび図９Ｂに示されたポンプカートリッジ３００を参照すると、遠心羽根車３０２は、固定ハブ３０４に回転可能に結合されている。ポンプカートリッジ３００は、ポンプハブ３０４を通り延在し、外部駆動機構に結合するよう構成された回転部材３０６を含むことができる。回転部材３０６は、回転３１８の軸回りに回転する。回転部材３０６の近位端部は、例えばハンドピース１０２の流体チャネル１１０（図２Ａ）と流体連通する貫通孔３０８を形成することができる。回転部材３０６は、遠位端部が遠心羽根車３０２に取り付けられる中空シャフト３１０をさらに含むことができる。インペラ筐体３１２は、インペラ３０２を囲み、インペラ３０２周りにインペラ容積３２０を画定する。インペラ筐体３１２は、軸３１６に沿ってインペラ容積３２０から離れて延在する管接続部３１４を含むことができる。
【００２９】
使用の際、例えば洗浄処置中、貫通孔３０８を通りカートリッジ３００に入る流体は、軸３１８に沿って中空のシャフト３１０内に、インペラ開口部３２２を介してインペラ容積３２０の中に流れることができる。その後流体は、管接続部３１４を介して軸３１６に沿ってインペラ容積３２０から送り出される。図９Ｂのカートリッジ３００の側面図から明らかなように、遠心羽根車３０２は、回転軸３１８と略垂直方向に管接続部３１４の外へ流体を加速することができる。
【００３０】
ポンプカートリッジ１００，２００，３００の他の代替実施形態は、様々な回転容積式タイプに関連した回転流体移動部材であるインペラを使用することができる。場合によっては、回転ポンプは、歯車回転範囲の周辺に取り付けられた筐体内で回転する２つの噛合歯車を有する歯車ポンプを備えることができ、流体は、歯車の歯および筐体の壁の間で捕捉されて、移送される。場合によっては、回転ポンプは、筐体内に取り付けられた２つの対向ネジ山逆回転スクリューを有するスクリューポンプを備えることができ、スクリューの回転は、筐体を通り流体を引き込む。場合によっては、回転ポンプは、筐体内でオフセットされた固定または可動ベーンが装備されたローターを有するベーンポンプを備えることができ、ローターアセンブリの回転は、ベーンの偏向または摺動動作をもたらし、流体が筐体を通るように強いる可変量流体ポケットを作る。場合によっては、回転ポンプは、噛合回転らせんローブを有するローブ、またはルーツタイプのポンプを備えることができ、該ローブは、筐体を通る流体を捕捉して移送する。場合によっては、回転ポンプは、蠕動ポンプを備えることができ、ローターの周囲に配置された１組のローラーが装備されたローターによって駆動される閉塞−復元サイクルによって可撓性の管内に収容される流体が押される。
【００３１】
本明細書は、詳細な多くの特定の実施形態を含むが、これら実施方法の範囲、または請求されるものの範囲を限定するものとして解釈されるべきではなく、特定の実施方法に特有の特徴の説明である。本明細書に記載される個別の実施方法との関連で特定の特徴はまた、単独の実施方法と組み合わせて実行することができる。逆に、単独の実施方法との関連で記載された様々な特徴は、多数の実施方法において個別に、または任意の適切な部分的な組み合わせで実行することができる。さらに，特徴は、特定の組み合わせで動作すると記載され、当初はそのように主張されているが、特許請求の組み合わせからの１または複数の特徴は、場合によっては組み合わせから削除することができ、特許請求の組み合わせは、部分的な組み合わせ、または部分的な組み合わせの変形を対象とすることができる。したがって、主題の特定の実施方法が記載された。他の実施方法は、以下の特許請求の範囲内にある。
【符号の説明】
【００３２】
１０  ポンピングシステム
１００  ポンプカートリッジ
１０２  シェーバーハンドピース
１０８  駆動機構
１１０  流体チャネル
１１４  管腔
１１６  インペラ筐体
１１８  ハブ
１２０  回転部材
１２１  シャフト部分
１２２  近位端部
１２３  管腔
１２４  近位端部
１２５  本体開口部
１２６  モーター連結部
１２７  開口部
１２８  拡張部
１２９  貫通孔
１３０  遠位端部
１３２  遠位端部
１３４  インペラ
１３６  インペラ容積
１３８  管腔
１４０  スリーブ部分
１４４  流体開口部
１４６  管接続部
１５０  流体バッグ
１５２  制御ユニット
【図１】
2015534889.tif 000003
【図２Ａ】
2015534889.tif 000004
【図２Ｂ】
2015534889.tif 000005
【図３Ａ】
2015534889.tif 000006
【図３Ｂ】
2015534889.tif 000007
【図４】
2015534889.tif 000008
【図５】
2015534889.tif 000009
【図６】
2015534889.tif 000010
【図７】
2015534889.tif 000011
【図８】
2015534889.tif 000012
【図９Ａ】
2015534889.tif 000013
【図９Ｂ】
2015534889.tif 000014
【国際調査報告】
2015534889.tif 000015
2015534889.tif 000016
2015534889.tif 000017